(57)【要約】【課題】錘部材を一つずつ取り出すことができるとともに、錘部材を収容する収容部を開閉する部材を損傷させることがなく、耐久性にも優れたトルクレンチを提供すること。【解決手段】錘部材Ｗ１、Ｗ２のヘッド１６Ｃに係脱可能な係合部１１Ａを備えた軸部１１と、これを保持するハンドル本体２１とによりトルクレンチ１０が構成されている。ハンドル本体２１は、軸部１１の軸線と交わる方向に延出し、複数個所に錘部材Ｗ１、Ｗ２の収容部２２、２３が設けられており、収容部２２、２３は、スライド蓋２５によって開閉される。スライド蓋２５はハンドル本体２１に脱落不能に装着され、スライドさせたときに、何れか一の錘部材の出し入れを可能とする。【選択図】図４
2014091200.tif 000002
【特許請求の範囲】
【請求項１】
ねじ部を有する錘部材のヘッドに係脱可能な係合部を備えた軸部と、当該軸部を保持するハンドルとを備えたトルクレンチであって、
前記ハンドルは、前記軸部の軸線と交わる方向に延出するとともに、当該延出方向に沿う複数個所に前記錘部材を収容可能な収容部を有するハンドル本体と、当該ハンドル本体に移動可能に設けられて前記収容部を開閉するスライド蓋とを含み、
前記スライド蓋は前記ハンドル本体に脱落不能に装着されるとともに、前記延出方向に沿ってスライドさせたときに、前記収容部を開放して何れか一の錘部材の出し入れを可能とすることを特徴とするトルクレンチ。
【請求項２】
前記ハンドル本体は前記軸部の軸線を中心として対称形状に設けられ、前記延出方向に沿う対称位置に、前記収容部がそれぞれ設けられていることを特徴とする請求項１記載のトルクレンチ。
【請求項３】
前記スライド蓋を錘部材の取出位置にスライドさせたときに、当該スライド蓋がハンドル本体側にクリック動作を伴って係止することを特徴とする請求項１又は２記載のトルクレンチ。
【請求項４】
前記ハンドル本体にストラップ取り付け部が設けられていることを特徴とする請求項１、２又は３記載のトルクレンチ。
【発明の詳細な説明】
【技術分野】
【０００１】
本発明はトルクレンチに係り、特に、ゴルフクラブのヘッドに錘部材を着脱するために利用することのできるトルクレンチに関する。
【背景技術】
【０００２】
ゴルフクラブは、そのヘッド重心位置を調整する手段として、例えば、ソール面側に錘部材を配置できるようにした構成が知られている。
錘部材は、錘本体と、当該錘本体を貫通するボルトとを含み、ボルトの一端側外周はねじ部として形成されている一方、他端側はトルクレンチに係脱可能な溝を備えたヘッドとして形成された構成が知られている。
このような錘部材は、例えば、特許文献１に開示される軸部（ビット）を備えたトルクレンチ（ドライバー）を用いて着脱することができる。
また、軸部の一端側に、当該軸部に直交する方向に延出するハンドルを設けて略Ｔ字状に形成し、ハンドルの延出方向に沿って形成された凹状の収容部に複数の錘部材を収容可能とし、必要に応じて、錘部材を取り出しできるようにしたトルクレンチも知られている。このトルクレンチは、収容部を開閉する片状の蓋体を備え、当該蓋体は、一端がヒンジ連結されて他端が自由端となる回転型や、ハンドルから完全に取り外しできる着脱型のものが存在する。
【先行技術文献】
【特許文献】
【０００３】
【特許文献１】実開平１−１６４０７１号公報
【発明の開示】
【発明が解決しようとする課題】
【０００４】
しかしながら、特許文献１に記載されたトルクレンチは、ゴルフクラブのヘッドに錘部材を着脱する専用のレンチとしては設計されていない。
また、蓋体を回転型としたトルクレンチにあっては、錘部材を取り出すために蓋体を開いてハンドルの天地を反対にしたときに、収容部に収容された全ての錘部材が抜け出てしまう、という不都合がある。しかも、蓋体を開いた状態でハンドルを回転操作したときに、開放位置にある蓋体に手の操作力が及んでしまい、蓋を破損してしまう、という不都合を招来する。
更に、蓋体を着脱型としたトルクレンチにあっては、回転型と同様に、ハンドルの天地を反対にしたときに、全ての錘部材が収容部から抜け出てしまう不都合の他、蓋体を紛失してしまう可能性も回避し得ないものとなる。
【０００５】
本発明の目的は、錘部材を一つずつ取り出すことができるとともに、錘部材を収容する収容部を開閉する部材を損傷させることがなく、耐久性にも優れたトルクレンチを提供することにある。
【課題を解決するための手段】
【０００６】
前記目的を達成するため、本発明は、特許請求の範囲記載の構成を採用したものであり、具体的には、ねじ部を有する錘部材のヘッドに係脱可能な係合部を備えた軸部と、当該軸部を保持するハンドルとを備えたトルクレンチであって、
前記ハンドルは、前記軸部の軸線と交わる方向に延出するとともに、当該延出方向に沿う複数個所に前記錘部材を収容可能な収容部を有するハンドル本体と、当該ハンドル本体に移動可能に設けられて前記収容部を開閉するスライド蓋とを含み、
前記スライド蓋は前記ハンドル本体に脱落不能に装着されるとともに、前記延出方向に沿ってスライドさせたときに、前記収容部を開放して何れか一の錘部材の出し入れを可能としたものである。
【０００７】
本発明において、前記ハンドル本体は前記軸部の軸線を中心として対称形状に設けられ、前記延出方向に沿う対称位置に、前記収容部がそれぞれ設けられる、という構成を採っている。
【０００８】
更に、前記スライド蓋を錘部材の取出位置にスライドさせたときに、当該スライド蓋がハンドル本体側にクリック動作を伴って係止するように構成することができる。
【０００９】
また、前記ハンドル本体にストラップ取り付け部を設けるとよい。
【発明の効果】
【００１０】
本発明によれば、ハンドル本体に設けられた収容部がスライド蓋によって開閉する構成となっているため、そのスライド量を調整して一部の収容部を開放させる操作が可能となる。従って、一つの収容部が開放するようにスライド蓋をスライド操作すれば、ハンドルの天地を反対にしても、他の収容部に収容された錘部材が抜け出てしまうような不都合は生じない。
また、ハンドル本体の延出方向に沿う対称位置に収容部を設ける構成とすれば、スライド蓋の操作方向を変えることで収容部から交互に錘部材を取り出す設計とすることができる。
更に、スライド蓋がハンドル本体にクリック動作を伴って係止する構成であれば、スライド蓋をスライドさせて停止したときの位置が適正か否かを感覚的に把握でき、また、収容部を開放して錘部材を取り出そうとしたときに、収容部が不用意に閉まってしまうような不都合も回避することができる。
また、ハンドル本体にストラップ取り付け部が設けられていれば、携帯上の便宜を図ることもできる。
【図面の簡単な説明】
【００１１】
【図１】実施形態に係るトルクレンチの概略斜視図。
【図２】（Ａ）及び（Ｂ）は第１及び第２錘部材の概略斜視図
【図３】前記トルクレンチの概略正面図。
【図４】図１のＡ−Ａ線に沿う概略断面図。
【図５】図３のＢ−Ｂ線に沿う部分概略断面図。
【図６】スライド蓋をスライドさせた状態を示すトルクレンチの概略断面図。
【発明を実施するための形態】
【００１２】
以下、本発明に係るトルクレンチの実施形態について、図面を参照しながら説明する。
なお、本実施形態において、基準となる図を挙げることなく、例えば、上、下、左、右、または、前、後といった方向を示した場合は、全て図３を正面に見た場合を基準とし、上、下、左、右方向が紙面に平行な方向であり、前が紙面に直交する手前方向、後が紙面に直交する奥方向とする。
【００１３】
図１に示されるように、トルクレンチ１０は、先端（図１中下端）に係合部１１Ａを備えた軸部（ビット）１１と、当該軸部１１を保持するハンドル１２とを備え、正面視において、概してＴ字状の外観形状となるように構成されている。軸部１１は、図２に例示される第１及び第２錘部材Ｗ１、Ｗ２に係合してこれを回転させるためのものであり、ハンドル１２は、軸部１１を回転させる操作領域として機能する他、第１及び第２錘部材Ｗ１、Ｗ２を収容する領域として機能するものである。
【００１４】
前記第１及び第２錘部材Ｗ１、Ｗ２は、例えば、一般にドライバーと称されるゴルフクラブのヘッドのソール面側に設けられた凹部にねじ止めできるように設計されている。これら錘部材Ｗ１、Ｗ２は、それぞれ錘本体１５と、当該錘本体１５の中央部を貫通するボルト１６とからなり、ボルト１６の一端側（先端側）はねじ部としての雄ねじ１６Ａが形成されている。この一方、ボルト１６の他端側は軸部１１の先端に形成された係合部１１Ａが係脱する溝１６Ｂを備えたヘッド１６Ｃとして形成されている。ここで、第１錘部材Ｗ１の錘本体１５は、第２錘部材Ｗ２の錘本体１５より長軸に設けられて相対的に重くなるように構成されている。なお、第１、第２錘部材Ｗ１、Ｗ２は、錘本体１５の大きさを同じものとし、材質を変えることで重量を相互に相違させたものであってもよい。
【００１５】
前記ハンドル１２は、図３及び図４に示されるように、軸部１１の中間部から上方領域の外周側に位置する略円筒状の胴部２０と、この胴部２０に連設されて軸部１１の軸線方向に対して左右方向に交わる曲線方向に延出するとともに、内部に第１、第２錘部材Ｗ１、Ｗ２の第１、第２収容部２２、２３（図４参照）を備えたハンドル本体２１と、このハンドル本体２１の上部側に位置して第１、第２収容部２２、２３を開閉するスライド蓋２５とを備えて構成されている。胴部２０の上端には、軸部１１に固着された連結部材２７が固定可能に設けられており、これにより、軸部１１がハンドル１２に相対回転不能に保持されるようになっている。
【００１６】
前記ハンドル本体２１は、図３に示されるように、正面視において、中央部が最も太く、左右両側が中央部に対して次第に細くなる外周曲面を有する形状となっている。このハンドル本体２１は、軸部１１の中心軸線Ｃ（図４参照）を中心として左右対称形状に設けられ、その延出方向に沿う左右対称位置に、第１、第２収容部２２、２３がそれぞれ設けられている。これら収容部２２、２３はハンドル本体２１の上部側を延出方向に沿って凹状に設けることによって形成されている。なお、第１、第２収容部２２、２３間には、スライド蓋２５の下面近傍に位置可能な筒部２８が形成されており、第１、第２収容部２２、２３を形成する側壁内面上部には、図５、図６に示されるように、レール３０が形成されている。また、ハンドル本体２１の図３中下部左端側に穴を設けることによってストラップ取り付け部２９が形成されている。
【００１７】
前記スライド蓋２５は、ハンドル本体２１の上部に強制的に嵌め込むことで、左右方向に移動可能となる状態で脱落不能に取り付けられている。このスライド蓋２５は、第１、第２収容部２２、２３を開閉する円弧状に延びる長片状の頂壁部３５と、この頂壁部３５の前後方向（短寸幅方向）両側に連なる側端壁部３６と、頂壁部３５の下面側において、中央部に位置する中央突片３７と、長手方向両側に位置する外側突片３８とを備えて構成されている。側端壁部３６の外面側には左右方向に沿って溝３６Ａ（図５参照）が形成されており、当該溝３６Ａにレール３０が嵌合することにより、スライド蓋２５がレール３０に沿って移動可能となっている。また、中央突片３７、外側突片３８は、正面視において、それぞれ中央部が最も突出量が大きくなる湾曲形状に設けられており、外側突片３８と頂壁部３５の長手方向端部との間には、凹み部４０（図６参照）がそれぞれ設けられている。なお、スライド蓋２５の左右両側の上面部分には、操作力を付与する指先の滑りを防止するための滑り防止部２５Ａが形成されている。
【００１８】
次に、本実施形態に係るトルクレンチの使用方法について説明する。
【００１９】
トルクレンチ１０は、図４に示されるように、第１、第２収容部２２、２３に第１、第２錘部材Ｗ１、Ｗ２がそれぞれ収容されており、各収容部２２、２３は、スライド蓋２５によって閉塞されている。
ここで、例えば、第１錘部材Ｗ１を図示しないゴルフクラブヘッドに装着しようとする場合には、図６に示されるように、スライド蓋２５を右側にスライドさせる。スライド操作力を付与することで、中央突片３７は、筒部２８に係合している位置から抜け出し、左側の外側突片３８がクリック動作を伴って筒部２８内に位置するスライド限まで移動が許容される。本実施形態におけるスライド限は、外側突片３８の左側に設けられた凹み部４０内に筒部２８の端部分が食い込むことによって決定されるようになっている。
【００２０】
このようにして第１収容部２２が開放された後、トルクレンチ１０を天地逆さまにすれば、第１錘部材Ｗ１は、その重さによって第１収容部２２から抜け出ることとなり、第１錘部材Ｗ１をゴルフクラブのヘッドにおける錘取り付け位置に配置し、軸部１１の係合部１１Ａをボルト１６のヘッド１６Ｂに係合させて回転操作すればよい。この際、スライド蓋２５は、初期の閉蓋位置に戻してハンドル１２を回転させることができる。スライド蓋２５を閉蓋位置に戻す時も、中央突片３７が筒部２８内に位置する瞬間にクリック動作を伴って嵌り込み操作の適正化を把握できる。なお、ハンドル１２の回転は、図６に示されるように、スライド蓋２５を半分開放したまま行ってもよい。この際、ハンドル１２を握って回転操作を付与する領域は、ハンドル本体２１の上面領域内にスライド蓋２５が収まる状態にあるので、スライド蓋２５を損傷させてしまうような力が作用するようなことはない。
なお、第２錘部材Ｗ２を使用する場合には、スライド蓋２５の移動方向を反対側にすればよい。
【００２１】
従って、このような実施形態によれば、ハンドル１２内に複数の錘部材Ｗ１、Ｗ２を収容した状態において、何れか一方を選択的に取り出すことができ、また、スライド蓋２５が一部の収容部を開放した状態でハンドル１２を握って操作しても、スライド蓋２５を損傷してしまうような不都合を回避することができる、という効果を得る。
【００２２】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変更を加えることができるものである。
【００２３】
例えば、前記実施形態における収容部は、ハンドル本体２１の左右両側にそれぞれ各１つとし、各１個の錘部材Ｗ１、Ｗ２がそれぞれ収容される構成としたが、更に、収容部の数は増加させることもできる。
【００２４】
また、スライド蓋２５がクリック動作を伴ってスライドするための節度機構は図示構成例に限定されるものではく、適宜な凸部と凹部との対応形状をスライド蓋２５とハンドル本体２１とに施すことで構成することができる。
【符号の説明】
【００２５】
１０…トルクレンチ、１１…軸部、１１Ａ…係合部、１２…ハンドル、１６Ａ…ねじ部、１６Ｃ…ヘッド、２１…ハンドル本体、２２…第１収容部、２３…第２収容部、２５…スライド蓋、２９…ストラップ取り付け部、Ｃ…中心軸線、Ｗ１…第１錘部材、Ｗ２…第２錘部材
【図１】
2014091200.tif 000003
【図２】
2014091200.tif 000004
【図３】
2014091200.tif 000005
【図４】
2014091200.tif 000006
【図５】
2014091200.tif 000007
【図６】
2014091200.tif 000008